(57)【要約】【課題】ロック機構付きのスライドパネルの開閉操作性を改善すること。【解決手段】スライドパネル３０を固定するロック位置とスライドパネル３０の固定を解除するアンロック位置との間を移動するロック部材４６にラック部材５４を連結し、ラック部材５４と噛合するピニオン部材７０に連結された操作部材８８はスライドパネル３０のスライド方向と同じ方向の移動によってピニオン部材７０を回転させる構造にする。【選択図】図２
2016136173.tif 000002
【特許請求の範囲】
【請求項１】
固定パネルにスライド可能に設けられ、スライド移動することにより前記固定パネルに形成された開口を開閉するスライドパネルを、スライド方向の所定位置で解除可能に前記固定パネルに対して固定するスライドパネル用ロック装置であって、
前記スライド方向に概ね直交する方向に移動可能に前記スライドパネルに設けられ、前記スライドパネルを固定するロック位置と前記スライドパネルの固定を解除するアンロック位置との間を移動するロック部材と、
前記ロック部材に接続され、前記ロック部材の移動方向に延在するラック部材と、
前記スライドパネルに回動可能に設けられ、前記ラック部材と噛合するピニオン部材と、
前記スライドパネルのスライド方向に移動可能に前記スライドパネルに設けられ、且つ前記ピニオン部材に連結され、前記スライド方向と同じ方向の移動によって前記ピニオン部材を回転させる操作部材とを有するスライドパネル用ロック装置。
【請求項２】
前記ピニオン部材及び前記操作部材の一方には、他方に向けて突出する連結軸が設けられ、前記ピニオン部材及び前記操作部材の他方には、前記連結軸に回転可能に嵌合する長孔が形成されることにより、前記操作部材が前記ピニオン部材に枢動可能に連結される請求項１に記載のスライドパネル用ロック装置。
【請求項３】
前記操作部材には前記スライドパネルのスライド方向に対して概ね直交する方向に延在する操作面を有する取手片が形成され、
前記スライドパネルには前記操作部材から当該スライドパネルのスライド方向に離間した位置にあって前記操作面と平行且つ前記操作面と相反する方向に向く操作反力面を有する固定側操作片が設けられている請求項１又は２に記載のスライドパネル用ロック装置。
【請求項４】
前記スライドパネルには円柱形状の支持軸が固定され、前記ピニオン部材には円形横断面形状の中心孔が形成され、前記支持軸に前記中心孔が回転可能に嵌合することにより、前記スライドパネルが前記ピニオン部材を回動可能に支持し、
前記ピニオン部材の前記中心孔の外周縁部には径方向外方に延出した凹部が形成され、
前記支持軸は、前記中心孔よりも長い軸線方向長さを有すると共に、且つ前記中心孔に対する挿入が完了した状態において前記中心孔よりも先端側の外方位置において径方向外方に突出し、且つ前記凹部を通過可能な凸部を有し、
前記ロック部材が前記ロック位置と前記アンロック位置との間を移動する通常使用下の前記ピニオン部材の回動範囲内においては、前記凸部によって前記ピニオン部材の抜け止めが行われるべく、前記凹部が前記凸部に対して前記支持軸の周方向に非整合の位置に位置し、
前記支持軸に対する前記ピニオン部材の組み付けのために、前記ピニオン部材が前記通常使用下の回動範囲外の所定の回動位置にあるときに、前記凹部が前記凸部に対して前記支持軸の周方向に整合する位置に位置し、
前記凹部と前記凸部とが整合する前記所定の回動位置に前記ピニオン部材があるときに当該ピニオン部材と噛合関係にある前記ラック部材の位置決めを行うストッパ部が前記スライドパネルに設けられている請求項１〜３のいずれか一項に記載のスライドパネル用ロック装置。
【請求項５】
前記ストッパ部は前記ロック部材の前記移動を案内すべく前記スライドパネルに設けられた案内部の一部によって構成されている請求項４に記載のスライドパネル用ロック装置。
【発明の詳細な説明】
【技術分野】
【０００１】
本発明は、スライドパネル用ロック装置に関し、更に詳細には、スライドパネルをスライド方向の所定位置に解除可能に固定パネルに対して固定するスライドパネル用ロック装置に関する。
【背景技術】
【０００２】
自動車のサイドウィンドシールドガラス等の固定パネルに四角形状の開口が形成され、この開口を固定パネルに前後方向にスライド可能に取り付けられたスライドパネルによって開閉するスライド式ウィンド構造が知られている。このようなスライド式ウィンド構造には、スライドパネルを全閉位置あるいは全開位置に解除可能に固定するスライドパネル用ロック装置が設けられる。【０００３】
このスライドパネル用ロック装置として、先端にクランク形状部を有するロック部材がスライドパネルに回転可能に取り付けられ、手動操作によるロック部材の自身の中心軸線周りの回動によってクランク形状部が固定パネル側に形成されている凹部に係合することにより、スライドパネルを全閉位置あるいは全開位置に固定するものが知られている。
【先行技術文献】
【特許文献】
【０００４】
【特許文献１】欧州特許出願公開第１９２０９５７号明細書
【発明の概要】
【発明が解決しようとする課題】
【０００５】
しかしながら、上述した従来のスライドパネル用ロック装置が用いられたスライド式ウィンド構造では、スライドパネルの開閉のために、スライドパネルをスライド移動させる操作と、ロック解除のためにロック部材を回動させる操作とが別々の態様で必要である。【０００６】
このため、スライドパネルを開閉するには、先ずロック部材を回動させてロックを解除し、この後に、回動操作とは異なる方向の操作としてスライドパネルをスライド移動させる必要があり、従来のスライドパネル用ロック装置はスライドパネルの開閉操作性が悪い。【０００７】
本発明が解決しようとする課題は、ロック装置付きのスライドパネルの開閉操作性を改善することである。
【課題を解決するための手段】
【０００８】
本発明によるスライドパネル用ロック装置は、固定パネル（２０）にスライド可能に設けられ、スライド移動することにより前記固定パネル（２０）に形成された開口（２８）を開閉するスライドパネル（３０）を、スライド方向の所定位置で解除可能に前記固定パネル（２０）に対して固定するスライドパネル用ロック装置（４０）であって、前記スライド方向に概ね直交する方向に移動可能に前記スライドパネル（３０）に設けられ、前記スライドパネル（３０）を固定するロック位置と前記スライドパネル（３０）の固定を解除するアンロック位置との間を移動するロック部材（４６）と、前記ロック部材（４６）に接続され、前記ロック部材（４６）の移動方向に延在するラック部材（５４）と、前記スライドパネル（３０）に回動可能に設けられ、前記ラック部材（５４）と噛合するピニオン部材（７０）と、前記スライドパネル（３０）のスライド方向に移動可能に前記スライドパネル（３０）に設けられ、且つ前記ピニオン部材（７０）に連結され、前記スライド方向と同じ方向の移動によって前記ピニオン部材（７０）を回転させる操作部材（８８）とを有する。【０００９】
この構成によれば、スライドパネル（３０）をスライド移動させる方向と同じ方向の操作部材（８８）の操作によってスライドパネル（３０）のロックが解除され、スライドパネル（３０）がスライド移動できる状態になるので、スライドパネル（３０）の開閉において、ロック解除のためにロック部材を回動させる等、スライドパネル（３０）をスライド移動させる操作とは異なる方向の操作を必要としない。これにより、開閉操作性を悪くすることがなく単純な操作によってスライドパネル（３０）を開閉することができる。【００１０】
本発明によるスライドパネル用ロック装置の好適な実施形態は、前記ピニオン部材（７０）及び前記操作部材（８８）の一方には、他方に向けて突出する連結軸（９４）が設けられ、前記ピニオン部材（７０）及び前記操作部材（８８）の他方には、前記連結軸（９４）に回転可能に嵌合する長孔（９２）が形成されることにより、前記操作部材（８８）が前記ピニオン部材（７０）に枢動可能に連結される。【００１１】
この構成によれば、操作部材（８８）の操作によって連結軸（９４）がピニオン部材（７０）の回動中心を中心とする円弧軌跡を描いて移動することが、こじりや大きいがたつきを生ずることなく円滑に行われる。【００１２】
本発明によるスライドパネル用ロック装置の好適な実施形態は、前記操作部材（８８）には前記スライドパネル（３０）のスライド方向に対して概ね直交する方向に延在する操作面（１００）を有する取手片（１０２）が形成され、前記スライドパネル（３０）には前記操作部材（８８）から当該スライドパネル（３０）のスライド方向に離間した位置にあって前記操作面（１００）と平行且つ前記操作面（１００）と相反する方向に向く操作反力面（１０４）を有する固定側操作片（６２）が設けられている。【００１３】
この構成によれば、例えば親指と人差し指とで、取手片（１０２）と固定側操作片（６２）とを挟むように握って操作部材（８８）を操作性よく動かすことができる。【００１４】
本発明によるスライドパネル用ロック装置の好適な実施形態は、前記スライドパネル（３０）には円柱形状の支持軸（６８）が固定され、前記ピニオン部材（７０）には円形横断面形状の中心孔（７２）が形成され、前記支持軸（６８）に前記中心孔（７２）が回転可能に嵌合することにより、前記スライドパネル（３０）が前記ピニオン部材（７０）を回動可能に支持し、前記ピニオン部材（７０）の前記中心孔（７２）の外周縁部には径方向外方に延出した凹部（７８）が形成され、前記支持軸（６８）は、前記中心孔（７２）よりも長い軸線方向長さを有すると共に、前記中心孔（７２）に対する挿入が完了した状態において前記中心孔（７２）よりも先端側の外方位置において径方向外方に突出し、且つ前記凹部（７８）を通過可能な凸部（８０）を有し、前記ロック部材（４６）が前記ロック位置と前記アンロック位置との間を移動する通常使用下の前記ピニオン部材（７０）の回動範囲内においては、前記凸部（８０）によって前記ピニオン部材（７０）の抜け止めが行われるべく、前記凹部（７８）が前記凸部（８０）に対して前記支持軸（６８）の周方向に非整合の位置に位置し、前記支持軸（６８）に対する前記ピニオン部材（７０）の組み付けのために、前記ピニオン部材（７０）が前記通常使用下の回動範囲外の所定の回動位置にあるときに、前記凹部（７８）が前記凸部（８０）に対して前記支持軸（６８）の周方向に整合する位置に位置し、前記凹部（７８）と前記凸部（８０）とが整合する前記所定の回動位置に前記ピニオン部材（７０）があるときに当該ピニオン部材（７０）と噛合関係にある前記ラック部材（５４）の位置決めを行うストッパ部（４５）が前記スライドパネル（３０）に設けられている。【００１５】
この構成によれば、別の部材を必要とすることなく、ピニオン部材（７０）の抜け止めが行われる。また、ピニオン部材（７０）の組み付け時に、ストッパ部（４５）によってラック部材（５４）の位置決めを行うことにより、ラック部材（５４）の位置とピニオン部材（７０）の回動位置との関係が正しい関係に一義的に決まり、誤組み付けが生じることがない。【００１６】
本発明によるスライドパネル用ロック装置の好適な実施形態は、前記ストッパ部（４５）は前記ロック部材（４６）の前記移動を案内すべく前記スライドパネル（３０）に設けられた案内部（４４）の一部によって構成されている。【００１７】
この構成によれば、ストッパ部（４５）のためだけの構成をスライドパネル（３０）に別途設ける必要がない。
【発明の効果】
【００１８】
本発明によるスライドパネル用ロック装置によれば、スライドパネルをスライド移動させる方向と同じ方向の操作部材の操作によってスライドパネルのロックが解除され、スライドパネルがスライド移動できる状態になるので、ロック機構付きのスライドパネルの開閉操作性が改善される。
【図面の簡単な説明】
【００１９】
【図１】本発明によるスライドパネル用ロック装置が適用されて好適なスライド開閉式ウィンドを有する自動車の斜視図
【図２】本発明によるスライドパネル用ロック装置の一つの実施形態を示す斜視図
【図３】本実施形態によるスライドパネル用ロック装置のロック状態を示す正面図
【図４】本実施形態によるスライドパネル用ロック装置のアンロック状態を示す正面図
【図５】本実施形態によるスライドパネル用ロック装置の分解斜視図
【図６】本実施形態によるスライドパネル用ロック装置のピニオン部材の組み付け時の状態を示す斜視図
【図７】本実施形態によるスライドパネル用ロック装置のピニオン部材の通常使用下の状態を示す斜視図
【発明を実施するための形態】
【００２０】
以下に、本発明によるスライドパネル用ロック装置の実施形態を、図１〜図７を参照して説明する。本実施形態は、スライドパネル用ロック装置をバンタイプの自動車のリヤサイドウィンドに設けられるスライド開閉式ウィンドに適用したものである。
【００２１】
バンタイプの自動車は、図１に示されているように、箱形の車体１０と、回動式のフロントサイドドア１２と、前後スライド式のリヤサイドドア１４と、車体１０に固定されたフロントウィンドシールドガラス１６と、フロントサイドドア１２に設けられた昇降式のフロントドアウィンドシールドガラス１８と、リヤサイドドア１４に固定されたリヤドアウィンドシールドガラス（固定パネル）２０と、車体１０に固定されたリヤウィンドシールドガラス２２と、前輪２４と、後輪２６とを有する。
【００２２】
リヤドアウィンドシールドガラス２０には四角形状の開口（小窓）２８が形成されている。リヤドアウィンドシールドガラス２０には前後方向のスライド移動によって開口２８を開閉するスライドパネル３０が設けられている。スライドパネル３０は、左右のリヤドアウィンドシールドガラス２０のそれぞれに設けられている。
【００２３】
スライドパネル３０の詳細を、図２を参照して説明する。図２は、車室内から見た右側のリヤドアウィンドシールドガラス２０に設けられたスライドパネル３０を示している。リヤドアウィンドシールドガラス２０の車室内側面には前後方向に水平に延在する上下２本の合成樹脂製のガイドレール３２が接着剤等によって固定されている。
【００２４】
スライドパネル３０は、合成樹脂製の四角形状の枠体３４と、枠体３４の開口３６を塞ぐように枠体３４の車外に固定されたシールドガラス３８とを有する。枠体３４の前部には、その上下に上下のガイドレール３２に各々摺動可能に係合する係合部（不図示）が形成され、枠体３４の後部には、その上下に上下のガイドレール３２に各々摺動可能に係合する係合部４８（図４参照）が設けられている。スライドパネル３０は、これら係合部のガイドレール３２に対する係合により、ガイドレール３２に案内されてリヤドアウィンドシールドガラス２０に対して前後水平方向にスライド可能であり、開口２８を全閉にする最前方の全閉位置と、開口２８を全開にする最後方の全開位置との間をスライド移動する。
【００２５】
スライドパネル３０は、ガイドレール３２に形成された案内溝の車体幅方向の傾斜あるいは落ち込み（不図示）により、全閉位置ではシールドガラス３８の車室外側の面がリヤドアウィンドシールドガラス２０の車室外側の面と面一になる車室外側の位置に位置し、全閉位置から全開位置への開き方向の移動に伴って車室内側に変位し、全閉位置以外の位置ではリヤドアウィンドシールドガラス２０の車室内側の面に沿ってリヤドアウィンドシールドガラス２０に干渉することなく移動する引き戸のような構造になっている。
【００２６】
スライドパネル３０の後部には、図２〜図５に示されているように、スライドパネル用ロック装置４０が設けられている。スライドパネル用ロック装置４０は、上下対称の構成であり、上下対称の個別部品および個別構成部分については同一の符号を付けて説明する。なお、スライドパネル用ロック装置４０は、その全てが枠体３４の後辺部３５の車室内側に設けられている。また、以下に云う突出形成は全て車室内側に突出したものである。
【００２７】
後辺部３５には上下のロック装置４０毎に案内部４２、４４が突出形成されている。案内部４２、４４には、ロッド形状のロック部材４６がスライドパネル３０のパネル面（シールドガラス３８の主面）に平行な平面上においてスライドパネル３０のスライド方向に直交する方向、つまり上下方向に移動可能に係合している。ロック部材４６の先端部には円柱部が一体形成されており、円柱部が前述の係合部４８をなしている。
【００２８】
ロック部材４６は、枠体３４に対する上下方向移動により、図３に示されているように、係合部４８がガイドレール３２に形成されているロック用凹部５０に係合してスライドパネル３０をリヤドアウィンドシールドガラス２０に対して固定するロック位置と、図４に示されているように、係合部４８がロック用凹部５０より抜け出してスライドパネル３０のリヤドアウィンドシールドガラス２０に対する固定を解除するアンロック位置との間を移動する。
【００２９】
なお、ロック用凹部５０は、スライドパネル３０が全閉位置、全開位置およびこれらの中間部を含む複数の位置にある時に、スライドパネル３０のスライド方向（前後方向）に係合部４８と整合する位置に設けられている。これにより、スライドパネル３０は、全閉位置および全開位置を含む複数の位置において、解除可能にリヤドアウィンドシールドガラス２０に対して固定される。
【００３０】
ロック部材４６の中間部にはばね受け部５１が一体形成されている。ばね受け部５１と後辺部３５の中央寄りに設けられた案内部４４との間には圧縮コイルばね５２が設けられている。圧縮コイルばね５２は、ロック部材４６をロック位置の側に向けてばね付勢している。
【００３１】
ロック部材４６は基端部（係合部４８が設けられている先端部とは反対側の端部）に連結ブロック部４７を一体に有し、ラック部材５４の端部に突出形成された連結部５６に連結ブロック部４７によって接続されている。ラック部材５４は、合成樹脂製であり、後辺部３５に突出形成された案内部５８、５９、６０、６１、６２に案内されてロック部材４６と一体的に上下方向に移動する。ラック部材５４には起立片部６４が突出形成されている。起立片部６４の前部には上下方向に隣り合う一連のラック歯６６が形成されている。
【００３２】
後辺部３５には円柱形状の支持軸６８が突出形成されている。支持軸６８にはピニオン部材７０に貫通形成された円形横断面形状の中心孔７２（図５参照）が回転可能に嵌合している。これにより、枠体３４が支持軸６８によってピニオン部材７０を回動可能に支持する。ピニオン部材７０は、合成樹脂製であり、中心孔７２を中心として中心孔７２より後方に延出した扇形状部７４を有する。扇形状部７４は起立片部６４より前方にあり、扇形状部７４の外周部には、その円弧方向に隣り合う一連の外歯７６が形成されている。
【００３３】
外歯７６はラック歯６６に噛合している。この噛合によってピニオン部材７０の回転（回動）運動がラック部材５４の上下方向の直線運動に変換され、ピニオン部材７０の回動によってラック部材５４と共にロック部材４６が前述のロック位置とアンロック位置との間を移動する。
【００３４】
支持軸６８はピニオン部材７０を抜け止め状態で回動可能に支持するものであり、その抜け止め構造について、図５〜図７を参照して説明する。
【００３５】
ピニオン部材７０には中心孔７２の外周縁部に径方向外方に延出した凹部７８が形成されている。凹部７８は、互いに１８０度離れた２箇所にあり、各々中心孔７２の軸線方向の全長に亘ってキー溝状に形成されている。
【００３６】
支持軸６８は、中心孔７２の軸線方向長さより長い軸線方向長さを有すると共に、中心孔７２に対する挿入が完了した状態において中心孔７２よりも、つまりピニオン部材７０の外面よりも先端側の外方位置において径方向外方に突出し、且つ凹部７８を軸線方向（挿入方向）に通過可能な突片状の凸部８０を互いに１８０度離れた２箇所に有する。凸部８０は、突片状をなしており、その厚さ（軸線方向寸法）は、支持軸６８の軸長から中心孔７２の軸線方向長さを差し引いた値より少し小さい値である。
【００３７】
ロック部材４６がロック位置とアンロック位置との間を移動する通常使用下のピニオン部材７０の回動範囲内においては、図４、図７に示されているように、凹部７８が凸部８０に対して支持軸６８の周方向に非整合の位置に位置し、凸部８０によってピニオン部材７０の支持軸６８からの抜け止めがピニオン部材７０の回動を阻害することなく行われる。したがって、ロック部材４６がロック位置とアンロック位置との間を移動する通常使用下では、別の部材を必要とすることなく、ピニオン部材７０の抜け止めが行われる。
【００３８】
ピニオン部材７０を支持軸６８に取り付ける作業は、まず、図６に示されているように、ロック部材４６を連結されていないラック部材５４を後辺部３５に組み付け、連結部５６の端面がなすストッパ面５７が案内部４４の端面（ストッパ面５７に対向する端面）がなすストッパ面４５に突き当たる上下方向位置にラック部材５４を移動させ、この状態下で、支持軸６８の手前側において、凹部７８が凸部８０に対して支持軸６８の周方向に整合する回転位置にピニオン部材７０を位置させ、凹部７８に凸部８０を進入させると共に中心孔７２に支持軸６８を嵌合させ、これと同時に、歯筋方向のスライドによって外歯７６をラック歯６６に噛合させる。
【００３９】
換言すると、支持軸６８に対するピニオン部材７０の組み付けのために、ピニオン部材７０が前述の通常使用下のピニオン部材７０の回動範囲外の所定の回動位置にあるときに、凹部７８が凸部８０に対して支持軸６８の周方向に整合する位置に位置し、この所定の回動位置にピニオン部材７０があるときにピニオン部材７０と噛合関係にあるラック部材５４の上下方向の位置決めを行うストッパ部が案内部４４の端面がなすストッパ面４５と連結部５６の端面がなすストッパ面５７とによって突き当て式に構成されている。
【００４０】
このようにして位置決めされたラック部材５４のラック歯６６に、凹部７８と凸部８０との整合によって自身の回動方向の位置を決められたピニオン部材７０の外歯７６が噛合するので、ラック部材５４の上下方向の位置とピニオン部材７０の回動位置との関係が正しい関係に一義的に決まり、誤組み付けが生じることがない。これにより、フールプルーフが行われる。また、枠体３４側のストッパ面４５は案内部４４の端面によって構成されているから、このストッパ面４５を形成するためだけの突起部を後辺部３５に別途設ける必要がない。
【００４１】
この組み付けの完了後に、図７に示されているように、ピニオン部材７０が前述の通常使用下の回動範囲内の回動位置に回動されることにより、凹部７８と凸部８０とが非整合になり、ピニオン部材７０の抜け止めが行われる。ラック部材５４に対するロック部材４６の接続は、ピニオン部材７０が前述の通常使用下の回動範囲内の回動位置に位置している状態下で行われる。
【００４２】
ピニオン部材７０には扇形状部７４とはほぼ９０度異なる方向（略上下方向）に中心孔７２より径方向延出したアーム部８２が一体形成されている。アーム部８２の先端部にはピン孔８４（図５〜図７参照）が形成されている。
【００４３】
後辺部３５の上下方向の中間部には、スライドパネル３０のスライド方向と同方向、つまり前後水平方向に延在する一対の案内レール８６が一体形成されている。案内レール８６には、合成樹脂製の操作部材８８が案内レール８６の延在方向、つまり前後方向にスライド可能に係合している。操作部材８８は上下対称に延在する一対のアーム部９０を一体に有する。アーム部９０の先端部には上下方向に長い長孔９２が貫通形成されている。長孔９２には頭付きのピン（連結軸）９４が挿入されている。ピン９４は、長孔９２を貫通した先端部をピン孔８４に挿入されてピニオン部材７０に固定されている。
【００４４】
これにより、１個の操作部材８８と枠体３４の上下に対称に配置されている２個のピニオン部材７０とが枢動可能に連結され、枠体３４に対する操作部材８８の前後方向のスライド移動によって２個のピニオン部材７０が互いに同一の回動角をもって同時に回動する。
【００４５】
ピン９４が貫通する孔は上下方向に長い長孔９２であるので、長孔９２の幅寸法が当該長孔９２を貫通する部分のピン９４の外径より少し大きく設定されていることにより、操作部材８８が前後方向に直線移動することに対してピニオン部材７０の回動によってピン９４がピニオン部材７０の回動中心を中心とする円弧軌跡を描いて移動することが、こじり及びピニオン部材７０の回動方向に大きいがたつきを生ずることなく円滑に行われる。
【００４６】
後辺部３５には固定側ストッパ片９６が設けられている。操作部材８８には固定側ストッパ片９６と前後方向に対向する可動側ストッパ片９８が設けられている。操作部材８８は、ロック部材４６が圧縮コイルばね５２によってロック位置側に付勢されていることにより、ラック部材５４、ピニオン部材７０を介して前側にばね付勢されているので、操作部材８８に外部より操作力を与えられていない状態では、図３に示されているように、可動側ストッパ片９８が固定側ストッパ片９６に当接する最前方位置にある。逆に云うと、操作部材８８が最前方位置にあるときには、ロック部材４６はロック位置にある。
【００４７】
操作部材８８の前端部には、前後方向、つまりスライドパネル３０のスライド方向に対して直交する方向に延在する前向きの操作面１００を構成する矩形の取手片１０２が一体形成されている。
【００４８】
案内部６２は、操作部材８８からスライドパネル３０のスライド方向（後側）に離間した位置にあって後辺部３５より起立した矩形片によって構成されており、操作面１００と平行且つ操作面１００と相反する方向に向く、つまり後向きの操作反力面１０４を有する固定側操作片をなしている。
【００４９】
操作部材８８に外部より操作力が与えられていない状態では、図３に示されているように、圧縮コイルばね５２のばね作用のもとに、ロック部材４６がロック位置にあって係合部４８がロック用凹部５０に係合し、操作部材８８が最前方位置にある。なお、ロック部材４６がロック位置にあるときに、両ストッパ面４５、５７が最も近付くが、ピニオン部材７０の組み付け時のように、両ストッパ面４５、５７が当接することはない。
【００５０】
この状態において、つまりロック状態において、例えば、スライドパネル３０を全閉位置から後方へスライド移動させて開口２８を開ける場合には、親指と人差し指とで、取手片１０２と案内部（固定側操作片）６２とを前後から挟むように握り、操作面１００を操作反力面１０４に近付ける方向に押す。この操作により、操作部材８８が圧縮コイルばね５２のばね力に抗して後方に向けてスライド移動し、これに伴いピニオン部材７０が回動変位し、ラック歯６６と外歯７６との噛合のもとにラック部材５４およびロック部材４６が上下方向に直線移動し、図４に示されているように、係合部４８が全閉位置のロック用凹部５０より抜け出し、ロック部材４６がアンロック位置に位置する。これにより、スライドパネル３０は、自身のスライド方向（前後方向）と同じ方向の手操作によってロックを解除され、スライド移動が可能となる。
【００５１】
引き続き、操作面１００を操作反力面１０４に近付ける方向に押すようにして取手片１０２と案内部６２とを握った状態を保って、操作部材８８に、後方への力を与えることにより、スライドパネル３０がガイドレール３２に案内されて後方へスライド移動し、開口２８が開けられる。
【００５２】
スライドパネル３０が全開位置までスライド移動すれば、この段階で、取手片１０２と案内部６２とを手放すことにより、圧縮コイルばね５２のばね力によってロック部材４６がロック位置に戻り、係合部４８が全開位置のロック用凹部５０に入り込む。これにより、スライドパネル３０が全開位置でロック状態になる。このときには、ラック部材５４、ピニオン部材７０および操作部材８８は元の位置に戻り、操作部材８８は最前方位置に位置する。
【００５３】
スライドパネル３０を全開位置から前方へスライド移動させて開口２８を閉める場合には、開口２８を開ける場合と同様に、親指と人差し指とで、取手片１０２と案内部６２とを挟むように握り、操作面１００を操作反力面１０４に近付ける方向に押す。この操作により、図４に示されているように、係合部４８が全開位置のロック用凹部５０より抜け出し、ロック部材４６がアンロック位置に位置し、スライドパネル３０のスライド移動が可能なる。
【００５４】
引き続き、操作面１００を操作反力面１０４に近付ける方向に押すようにして取手片１０２と案内部６２とを握った状態を保って、操作部材８８に、前方への力を与えることにより、スライドパネル３０がガイドレール３２に案内されて前方へスライド移動し、開口２８が閉められる。
【００５５】
スライドパネル３０が全閉位置までスライド移動すれば、この段階で、取手片１０２と案内部６２とを手放すことにより、圧縮コイルばね５２のばね力によってロック部材４６がロック位置に戻り、係合部４８が再び全閉位置のロック用凹部５０に入り込む。これにより、スライドパネル３０が全閉位置でロック状態になる。このときも、ラック部材５４、ピニオン部材７０および操作部材８８は元の位置に戻り、操作部材８８は最前方位置に位置する。
【００５６】
上述したように、スライドパネル３０をスライド移動させる方向と同じ方向の手操作によってスライドパネル３０のロックが解除され、スライドパネル３０がスライド移動できる状態になるので、スライドパネル３０の開閉において、ロック解除のためにロック部材を回動させる等、スライドパネル３０をスライド移動させる操作とは異なる方向の操作を必要としない。これにより、開閉操作性を悪くすることなく単純な操作によってスライドパネル３０を開閉することができる。
【００５７】
また、回動運動と直線運動との変換が、ベルクランク機構およびリンク部や弾性体を用いることなく、ラック部材５４とピニオン部材７０とにより行われるので、多くの部品を必要とすることがなく、しかも円滑な動作により行われる。
【００５８】
以上、本発明を、その好適な実施形態について説明したが、当業者であれば容易に理解できるように、本発明はこのような実施形態により限定されるものではなく、本発明の趣旨を逸脱しない範囲で適宜変更可能である。例えば、ロック部材４６とラック部材５４とは一つの部品によって構成されていてもよい。ピニオン部材７０と操作部材８８との連結はピン９４による枢動連結に限られることはなく、圧縮コイルばね５２のばね力を利用した押し当てのカム等によって行われてもよい。また、操作部材８８にピン９４が固定され、ピニオン部材７０に長孔９２が形成されていてもよい。また、上記実施形態に示した構成要素は必ずしも全てが必須なものではなく、本発明の趣旨を逸脱しない限りにおいて適宜取捨選択することが可能である。
【００５９】
本願のパリ条約に基づく優先権の基礎となる日本特許出願（２０１５年２月２４日出願の特願２０１５−３４１７９）の開示内容は、ここで参照したことによりその全体が本願明細書に組み込まれる。
【符号の説明】
【００６０】
１０    車体
２０    リヤドアウィンドシールドガラス
２８    開口
３０    スライドパネル
３２    ガイドレール
３４    枠体
３５    後辺部
３６    開口
３８    シールドガラス
４０    スライドパネル用ロック装置
４４    案内部
４５    ストッパ面
４６    ロック部材
４８    係合部
５０    ロック用凹部
５２    圧縮コイルばね
５４    ラック部材
５６    連結部
５７    ストッパ面
６２    案内部（固定側操作片）
６４    起立片部
６６    ラック歯
６８    支持軸
７０    ピニオン部材
７２    中心孔
７６    外歯
７８    凹部
８０    凸部
８８    操作部材
９２    長孔
９４    ピン（連結軸）
９６    固定側ストッパ片
９８    可動側ストッパ片
１００  操作面
１０２  取手片
１０４  操作反力面
【図１】
2016136173.tif 000003
【図２】
2016136173.tif 000004
【図３】
2016136173.tif 000005
【図４】
2016136173.tif 000006
【図５】
2016136173.tif 000007
【図６】
2016136173.tif 000008
【図７】
2016136173.tif 000009
【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
固定パネルにスライド可能に設けられ、スライド移動することにより前記固定パネルに形成された開口を開閉するスライドパネルを、スライド方向の所定位置で解除可能に前記固定パネルに対して固定するスライドパネル用ロック装置であって、
前記スライド方向に概ね直交する方向に移動可能に前記スライドパネルに設けられ、前記固定パネル側に設けられたロック用凹部に係合することにより前記スライドパネルを固定するロック位置と前記ロック用凹部より抜け出すことにより前記スライドパネルの固定を解除するアンロック位置との間を移動するロック部材と、
前記ロック部材に接続され、前記ロック部材の移動方向に延在するラック部材と、
前記スライドパネルに回動可能に設けられ、前記ラック部材と噛合するピニオン部材と、
前記スライドパネルのスライド方向に移動可能に前記スライドパネルに設けられ、且つ前記ピニオン部材に当該ピニオン部材の回転中心から離れた位置にて枢動可能に連結され、前記スライド方向と同じ方向の移動によって前記ピニオン部材を回転させる操作部材とを有するスライドパネル用ロック装置。
【請求項２】
前記ピニオン部材及び前記操作部材の一方には、他方に向けて突出する連結軸が設けられ、前記ピニオン部材及び前記操作部材の他方には、前記連結軸に回転可能に嵌合する長孔が形成されることにより、前記操作部材が前記ピニオン部材に枢動可能に連結される請求項１に記載のスライドパネル用ロック装置。
【請求項３】
前記操作部材には前記スライドパネルのスライド方向に対して概ね直交する方向に延在する操作面を有する取手片が形成され、
前記スライドパネルには前記操作部材から当該スライドパネルのスライド方向に離間した位置にあって前記操作面と平行且つ前記操作面と相反する方向に向く操作反力面を有する固定側操作片が設けられている請求項１又は２に記載のスライドパネル用ロック装置。
【請求項４】
前記スライドパネルには円柱形状の支持軸が固定され、前記ピニオン部材には円形横断面形状の中心孔が形成され、前記支持軸に前記中心孔が回転可能に嵌合することにより、前記スライドパネルが前記ピニオン部材を回動可能に支持し、
前記ピニオン部材の前記中心孔の外周縁部には径方向外方に延出した凹部が形成され、
前記支持軸は、前記中心孔よりも長い軸線方向長さを有すると共に、且つ前記中心孔に対する挿入が完了した状態において前記中心孔よりも先端側の外方位置において径方向外方に突出し、且つ前記凹部を通過可能な凸部を有し、
前記ロック部材が前記ロック位置と前記アンロック位置との間を移動する通常使用下の前記ピニオン部材の回動範囲内においては、前記凸部によって前記ピニオン部材の抜け止めが行われるべく、前記凹部が前記凸部に対して前記支持軸の周方向に非整合の位置に位置し、
前記支持軸に対する前記ピニオン部材の組み付けのために、前記ピニオン部材が前記通常使用下の回動範囲外の所定の回動位置にあるときに、前記凹部が前記凸部に対して前記支持軸の周方向に整合する位置に位置し、
前記凹部と前記凸部とが整合する前記所定の回動位置に前記ピニオン部材があるときに当該ピニオン部材と噛合関係にある前記ラック部材の位置決めを行うストッパ部が前記スライドパネルに設けられている請求項１〜３のいずれか一項に記載のスライドパネル用ロック装置。
【請求項５】
前記ストッパ部は前記ロック部材の前記移動を案内すべく前記スライドパネルに設けられた案内部の一部によって構成されている請求項４に記載のスライドパネル用ロック装置。
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
固定パネルにスライド可能に設けられ、スライド移動することにより前記固定パネルに形成された開口を開閉するスライドパネルを、スライド方向の所定位置で解除可能に前記固定パネルに対して固定するスライドパネル用ロック装置であって、
前記スライド方向に概ね直交する方向に移動可能に前記スライドパネルに設けられ、前記固定パネル側に設けられたロック用凹部に係合することにより前記スライドパネルを固定するロック位置と前記ロック用凹部より抜け出すことにより前記スライドパネルの固定を解除するアンロック位置との間を移動するロック部材と、
前記ロック部材に接続され、前記ロック部材の移動方向に延在するラック部材と、
前記スライドパネルに回動可能に設けられ、前記ラック部材と噛合するピニオン部材と、
前記スライドパネルのスライド方向に移動可能に前記スライドパネルに設けられ、且つ前記ピニオン部材に当該ピニオン部材の回転中心から離れた位置にて枢動可能に連結され、前記スライド方向と同じ方向の移動によって前記ピニオン部材を回転させる操作部材とを有し、
前記スライドパネルには円柱形状の支持軸が固定され、前記ピニオン部材には円形横断面形状の中心孔が形成され、前記支持軸に前記中心孔が回転可能に嵌合することにより、前記スライドパネルが前記ピニオン部材を回動可能に支持し、
前記ピニオン部材の前記中心孔の外周縁部には径方向外方に延出した凹部が形成され、
前記支持軸は、前記中心孔よりも長い軸線方向長さを有すると共に、且つ前記中心孔に対する挿入が完了した状態において前記中心孔よりも先端側の外方位置において径方向外方に突出し、且つ前記凹部を通過可能な凸部を有し、
前記ロック部材が前記ロック位置と前記アンロック位置との間を移動する通常使用下の前記ピニオン部材の回動範囲内においては、前記凸部によって前記ピニオン部材の抜け止めが行われるべく、前記凹部が前記凸部に対して前記支持軸の周方向に非整合の位置に位置し、
前記支持軸に対する前記ピニオン部材の組み付けのために、前記ピニオン部材が前記通常使用下の回動範囲外の所定の回動位置にあるときに、前記凹部が前記凸部に対して前記支持軸の周方向に整合する位置に位置し、
前記凹部と前記凸部とが整合する前記所定の回動位置に前記ピニオン部材があるときに当該ピニオン部材と噛合関係にある前記ラック部材の位置決めを行うストッパ部が前記スライドパネルに設けられているスライドパネル用ロック装置。
【請求項２】
前記ストッパ部は前記ロック部材の前記移動を案内すべく前記スライドパネルに設けられた案内部の一部によって構成されている請求項１に記載のスライドパネル用ロック装置。
【請求項３】
前記ピニオン部材及び前記操作部材の一方には、他方に向けて突出する連結軸が設けられ、前記ピニオン部材及び前記操作部材の他方には、前記連結軸に回転可能に嵌合する長孔が形成されることにより、前記操作部材が前記ピニオン部材に枢動可能に連結される請求項１又は２に記載のスライドパネル用ロック装置。
【請求項４】
前記操作部材には前記スライドパネルのスライド方向に対して概ね直交する方向に延在する操作面を有する取手片が形成され、
前記スライドパネルには前記操作部材から当該スライドパネルのスライド方向に離間した位置にあって前記操作面と平行且つ前記操作面と相反する方向に向く操作反力面を有する固定側操作片が設けられている請求項１〜３のいずれか一項に記載のスライドパネル用ロック装置。
【国際調査報告】
2016136173.tif 000010
2016136173.tif 000011
2016136173.tif 000012
2016136173.tif 000013